(57)【要約】【課題】複数の電子申請を行う申請者の作業の効率化を図る。【解決手段】本発明の申請受付システム５におけるデータ受付手段５ｃは、統合申請データと拡張構成管理データとを申請者端末２から受け付ける。統合データは、複数の申請に対応した複数の申請データを含む。拡張構成管理データは、統合申請データから複数の申請データを抽出するための抽出データと複数の申請データそれぞれの提出先を示す複数の提出先データとを含む。抽出手段５ｄは、統合申請データと抽出データとに基づいて、複数の申請データを抽出する。データ提供手段５ｅは、複数の提出先データに基づいて、複数の申請データを複数の提出先データの示す提出先システムに提供する。【選択図】    図１
2004265137.tif 000002
【特許請求の範囲】
【請求項１】
複数の申請に対応した複数の申請データを含む統合申請データと、前記統合申請データから前記複数の申請データを抽出するための抽出データと前記複数の申請データそれぞれの提出先を示す複数の提出先データとを含む拡張構成管理データとを、申請者端末から受け付けるデータ受付手段と、
前記統合申請データと前記抽出データとに基づいて、前記複数の申請データを抽出する抽出手段と、
前記複数の提出先データに基づいて、前記複数の申請データを前記複数の提出先データの示す提出先システムに提供するデータ提供手段と
を具備する申請受付システム。
【請求項２】
請求項１記載の申請受付システムにおいて、
前記抽出データは、前記統合申請データ中の前記複数の申請データをそれぞれ指定する複数の指定データを含むことを特徴とする申請受付システム。
【請求項３】
請求項１又は請求項２記載の申請受付システムにおいて、
前記申請者端末から複数の申請を求める旨の申請要求を受け付ける要求受付手段と、
前記申請要求に応じて、前記統合申請データと前記拡張構成管理データとを作成するための申請様式プログラムを前記申請者端末に提供するプログラム提供手段と
を具備し、
前記データ受付手段は、前記申請者端末から、前記申請様式プログラムに基づいて作成された前記統合申請データと前記拡張構成管理データとを受け付ける
ことを特徴とする申請受付システム。
【請求項４】
請求項３記載の申請受付システムにおいて、
前記申請様式プログラムは、前記提出先システムで採用されている申請様式にしたがって前記申請データを作成することを特徴とする申請受付システム。
【請求項５】
請求項１乃至請求項４のいずれか１項記載の申請受付システムにおいて、
前記拡張構成管理データは、前記複数の申請データの申請順序を示す順序データを含み、
前記データ提供手段は、前記申請順序にしたがって、前記複数の申請データを前記複数の提出先データの示す提出先システムに提供する
ことを特徴とする申請受付システム。
【請求項６】
請求項１乃至請求項５のいずれか１項記載の申請受付システムにおいて、
前記拡張構成管理データは、前記複数の申請のうち添付データを提出する申請についてこの添付データを指定する添付指定データを含み、
前記データ提供手段は、前記添付データを提出する申請を扱う提出先システムに、前記添付指定データの示す前記添付データを提供する
ことを特徴とする申請受付システム。
【請求項７】
請求項６記載の申請受付システムにおいて、
前記拡張構成管理データでは、前記複数の申請毎に、前記指定データ及び前記添付データを提出する場合の前記添付指定データが、タグを用いて記述されることを特徴とする申請受付システム。
【請求項８】
請求項１乃至請求項７のいずれか１項記載の申請受付システムにおいて、
前記拡張構成管理データは、電子署名情報を含み、
前記データ受付手段は、前記電子署名情報に基づいて、前記拡張構成管理データの正当性を判断する
ことを特徴とする申請受付システム。
【請求項９】
コンピュータを、
申請者端末から、複数の申請に対応した複数の申請データを含む統合申請データと、前記統合申請データから前記複数の申請データを抽出するための抽出データと前記複数の申請データそれぞれの提出先を示す複数の提出先データとを含む拡張構成管理データとを受け付け、記録手段に記録するデータ受付手段、
前記記録手段をアクセスし、前記統合申請データと前記抽出データとに基づいて、前記複数の申請データを抽出する抽出手段、
前記記録手段をアクセスし、前記複数の提出先データに基づいて、前記複数の申請データを前記複数の提出先データの示す提出先システムに提供するデータ提供手段
として機能させるためのプログラム。
【請求項１０】
請求項９記載のプログラムにおいて、
コンピュータを、
前記申請者端末から複数の申請を求める旨の申請要求を受け付ける要求受付手段、
前記申請要求に応じて、前記統合申請データと前記拡張構成管理データとを作成するための申請様式プログラムを前記記録手段から読み出し、前記申請者端末に提供するプログラム提供手段
として機能させ、
前記データ受付手段は、前記申請者端末から、前記申請様式プログラムに基づいて作成された前記統合申請データと前記拡張構成管理データとを受け付ける
ことを特徴とするプログラム。
【請求項１１】
請求項９又は請求項１０記載のプログラムにおいて、
前記拡張構成管理データは、前記複数の申請データの申請順序を示す順序データを含み、
前記データ提供手段は、前記申請順序にしたがって、前記複数の申請データを前記複数の提出先データの示す提出先システムに提供する
ことを特徴とするプログラム。
【請求項１２】
請求項９乃至請求項１１のいずれか１項記載のプログラムにおいて、
前記拡張構成管理データは、前記複数の申請のうち添付データを提出する申請についてこの添付データを指定する添付指定データを含み、
前記データ提供手段は、前記添付データを提出する申請を扱う提出先システムに、前記添付指定データの示す前記添付データを提供する
ことを特徴とするプログラム。
【請求項１３】
請求項９乃至請求項１２のいずれか１項記載のプログラムにおいて、
前記拡張構成管理データは、電子署名情報を含み、
前記データ受付手段は、前記電子署名情報に基づいて、前記拡張構成管理データの正当性を判断する
ことを特徴とするプログラム。
【請求項１４】
コンピュータによる申請受付方法において、
申請者端末から、複数の申請に対応した複数の申請データを含む統合申請データと、前記統合申請データから前記複数の申請データを抽出するための抽出データと前記複数の申請データそれぞれの提出先を示す複数の提出先データとを含む拡張構成管理データとを受け付け、記録手段に記録し、
前記記録手段をアクセスし、前記統合申請データと前記抽出データとに基づいて、前記複数の申請データを抽出し、
前記記録手段をアクセスし、前記複数の提出先データに基づいて、前記複数の申請データを前記複数の提出先データの示す提出先システムに提供する
ことを特徴とする申請受付方法。
【請求項１５】
コンピュータによる申請受付方法において、
申請者端末から複数の申請を求める旨の申請要求を受け付け、
前記申請要求に応じて、複数の申請に対応した複数の申請データを含む統合申請データと、前記統合申請データから前記複数の申請データを抽出するための抽出データと前記複数の申請データそれぞれの提出先を示す複数の提出先データとを含む拡張構成管理データとを作成するための申請様式プログラムを記録手段から読み出し、前記申請者端末に提供し、
前記申請者端末から、前記申請様式プログラムに基づいて作成された前記統合申請データと前記拡張構成管理データとを受け付け、前記記録手段に記録し、
前記記録手段をアクセスし、前記統合申請データと前記抽出データとに基づいて、前記複数の申請データを抽出し、
前記記録手段をアクセスし、前記複数の提出先データに基づいて、前記複数の申請データを前記複数の提出先データの示す提出先システムに提供する
ことを特徴とする申請受付方法。
【請求項１６】
請求項１４又は請求項１５記載の申請受付方法において、
前記拡張構成管理データは、前記複数の申請データの申請順序を示す順序データを含み、
前記複数の申請データは、前記申請順序にしたがって、それぞれの提出先データの示す提出先システムに提供される
ことを特徴とする申請受付方法。
【請求項１７】
請求項１４乃至請求項１６のいずれか１項記載の申請受付方法において、
前記拡張構成管理データは、前記複数の申請のうち添付データを提出する申請についてこの添付データを指定する添付指定データを含み、
前記添付データを提出する申請を扱う提出先システムには、前記申請データとともに前記添付指定データの示す前記添付データが提供される
ことを特徴とする申請受付方法。
【請求項１８】
請求項１４乃至請求項１７のいずれか１項記載の申請受付方法において、
前記拡張構成管理データは、電子署名情報を含み、
前記統合申請データと前記拡張構成管理データとが受け付けられた場合に、前記電子署名情報に基づいて、前記拡張構成管理データの正当性が判断される
ことを特徴とする申請受付方法。
【発明の詳細な説明】
【０００１】
【発明の属する技術分野】
本発明は、電子申請を実現するための申請受付システム及びプログラム並びに方法に関する。
【０００２】
【従来の技術】
行政機関や民間企業等に対する電子申請を実現するための電子申請システムが提案されている。
【０００３】
図１６は、従来の電子申請システムを示すブロック図である。
【０００４】
例えば、申請者１の操作する端末２は、インターネットなどのネットワーク３経由で、行政機関等の窓口として機能する提出先システム４Ａ，４Ｂのいずれかに申請データ（電子申請書）を送信する。提出先システム４Ａ，４Ｂは、受信した申請データに応じた処理を実行する。
【０００５】
【特許文献１】
特開２００１−３５７１７２号公報
【０００６】
【特許文献２】
特開２００１−３０６７５８号公報
【０００７】
【特許文献３】
特開２００１−２９０９１４号公報
【０００８】
【特許文献４】
特開２００１−１９５４８６号公報
【０００９】
【特許文献５】
特開２００２−６３３９３号公報
【００１０】
【特許文献６】
特開２００１−５２０６２号公報
【００１１】
【発明が解決しようとする課題】
行政機関や民間企業等に対する電子申請において、複数の提出先システム４Ａ，４Ｂに対して複数の申請を行う場合、申請者１は、端末２を操作し、各申請をそれぞれの提出先システム４Ａ，４Ｂに行う必要がある。
【００１２】
このため、申請者の申請のために行う操作、手続が煩雑になり、申請者の労力が過大となる。
【００１３】
本発明は、以上のような実情に鑑みてなされたもので、複数の電子申請を行う申請者の操作、手続を簡素化し、申請者の労力を軽減する申請受付システム及びプログラム並びに方法を提供することを目的とする。
【００１４】
【課題を解決するための手段】
本発明を実現するにあたって講じた具体的手段について以下に説明する。
【００１５】
本発明の申請受付システムは、データ受付手段により、統合申請データと拡張構成管理データとを申請者端末から受け付ける。統合申請データは、複数の申請に対応した複数の申請データを含む。拡張構成管理データは、統合申請データから複数の申請データを抽出するための抽出データと複数の申請データそれぞれの提出先を示す複数の提出先データとを含む。
【００１６】
本発明の申請受付システムは、抽出手段により、統合申請データと抽出データとに基づいて複数の申請データを抽出する。
【００１７】
本発明の申請受付システムは、データ提供手段により、複数の提出先データに基づいて、複数の申請データを複数の提出先データの示す提出先システムに提供する。
【００１８】
なお、本発明において、抽出データは、統合申請データ中の複数の申請データをそれぞれ指定する複数の指定データを含むとしてもよい。
【００１９】
また、本発明において、申請者端末から複数の申請を求める旨の申請要求を受け付ける要求受付手段と、申請要求に応じて統合申請データと拡張構成管理データとを作成するための申請様式プログラムを申請者端末に提供するプログラム提供手段とを具備し、データ受付手段は、申請者端末から申請様式プログラムに基づいて作成された統合申請データと拡張構成管理データとを受け付けるとしてもよい。
【００２０】
この場合、申請様式プログラムは、提出先システムで採用されている申請様式にしたがって申請データを作成する。
【００２１】
また、本発明において、拡張構成管理データは、複数の申請データの申請順序を示す順序データを含み、データ提供手段は申請順序にしたがって複数の申請データを複数の提出先データの示す提出先システムに提供するとしてもよい。
【００２２】
また、本発明では、拡張構成管理データは、複数の申請のうち添付データを提出する申請についてこの添付データを指定する添付指定データを含み、データ提供手段は、添付データを提出する申請を扱う提出先システムに、添付指定データの示す添付データを提供するとしてもよい。
【００２３】
また、本発明では、拡張構成管理データでは、複数の申請毎に、指定データ及び添付データを提出する場合の添付指定データがタグを用いて記述されるとしてもよい。
【００２４】
また、本発明では、拡張構成管理データは、電子署名情報を含み、データ受付手段は、電子署名情報に基づいて、拡張構成管理データの正当性を判断するとしてもよい。
【００２５】
本発明により、申請者は複数の提出先システムに対する複数の申請を一括して行うことができる。したがって、申請者による複数の電子申請の操作、手続を簡素化させることができ、申請者の労力を軽減させることができる。
【００２６】
なお、上記各手段は、コンピュータに読み込まれたプログラムにより実現されるとしてもよい。
【００２７】
また、上記申請受付システムによる申請受付方法を実施することにより、同様の作用効果が得られる。
【００２８】
【発明の実施の形態】
以下、図面を参照しながら本発明の実施の形態について説明する。
【００２９】
本実施の形態においては、複数の電子申請を一度の手続で実現するワンストップ申請について説明する。このワンストップ申請では、申請の種別が異なる場合でも、一度に複数の申請を行うことができる。
【００３０】
図１は、本実施の形態に係る申請受付システムの構成の一例を示すブロック図である。この図１において、上記図１６と同一の部分については同一の符号を付してその説明は省略する。
【００３１】
申請受付システム５は、ネットワーク３を経由して端末２と通信可能に接続される。
【００３２】
端末２は、ブラウザ２ａを具備する。申請者１は、このブラウザ２ａを用いて申請受付システム５にアクセスする。
【００３３】
また、申請受付システム５は、提出先システム（窓口システム）４Ａ，４Ｂと通信可能に接続される。申請受付システム５と提出先システム４Ａ，４Ｂとの間は、ネットワーク３で接続されているとする。本実施の形態においては、提出先システムが２つの場合について説明する。しかしながら、１つの提出先システムに複数の申請を行う場合もあるため、提出先システムは１以上であればよい。
【００３４】
申請受付システム５で扱われる申請には、例えば、住民票や印鑑証明などの各種証明書の取得、公証又は公文書の発行、選挙の立候補届出書の提出、入札書の提出、証明書の提出などがある。以下、本実施の形態では、申請Ａ，Ｂが行われるとする。
【００３５】
申請受付システム５は、記録媒体６に記録されている申請受付プログラム６ａを読み込み、実行することにより、要求受付部５ａ、プログラム提供部５ｂ、データ受付部５ｃ、抽出部５ｄ、データ提供部５ｅとしての機能を実現する。また、申請受付システム５は、例えばハードディスク、メモリなどの記録装置５ｆを具備する。
【００３６】
記録装置５ｆには、各種プログラム、データが記録される。例えば、記録装置５ｆに記録されるプログラムとして、申請様式プログラム７がある。
【００３７】
申請様式プログラム７は、それぞれ申請Ａ，Ｂについて受け付ける提出先システム４Ａ，４Ｂで採用されている申請様式にしたがって作成される。
【００３８】
申請様式プログラム７は、提出先システム４Ａ，４Ｂに提供される複数の申請データ（電子申請書）を含む統合申請データ（ワンストップ申請書）と、統合申請データから複数の申請データを抽出するための抽出データを含む拡張構成管理データとを作成するためのプログラムである。各申請データは、それぞれの提出先システムの申請様式にしたがった内容となる。
【００３９】
なお、拡張構成管理データは、抽出データに加えて、例えば各申請データの提出先を示す複数の提出先データ、各申請データの申請順序を示す順序データ、申請データとともに添付データを提出する場合のこの添付ファイルを指定する添付指定データ、電子署名情報などを含む。
【００４０】
申請様式プログラム７は、ブラウザ２ａにダウンロードされて実行されるソフトウェアである。
【００４１】
記録装置５ｆに記録されるデータとしては、例えば、各種画面データ８１〜８ｎ、提出先システムを示す提出先データと実際の提出先システムのアドレスとを関係付けたアドレスデータ９などがある。
【００４２】
また、記録装置５ｆには、例えば、データ受付部５ｃによって受け付けられた統合申請データ及び拡張構成管理データ、抽出部５ｄによって抽出された申請データ、申請データに添付される添付データなどが記録されるとしてもよい。
【００４３】
要求受付部５ａは、ブラウザ２ａからサービス開始要求を受け付けた場合に、記録装置５ｆを参照し、申請リスト画面データ８１をブラウザ２ａに提供する。
【００４４】
要求受付部５ａは、ブラウザ２ａから、申請リスト画面にしたがって選択された複数の申請Ａ，Ｂに関する申請要求を受け付ける。
【００４５】
プログラム提供部５ｂは、記録装置５ｆを参照し、申請要求に応じた申請様式プログラム７を選択し、ブラウザ２ａに提供する。
【００４６】
データ受付部５ｃは、ブラウザ２ａから申請様式プログラム７によって作成された統合申請データと拡張構成管理データとを受け付け、拡張構成管理データに含まれている電子署名情報に基づいて正当性を判断する。
【００４７】
抽出部５ｄは、拡張構成管理データが正当である場合、拡張構成管理データの抽出データに基づいて、統合申請データから単一の申請データを抽出する。なお、拡張構成管理データには、抽出データの代わりに統合申請データの抽出方法が記述されていてもよい。この場合、抽出部５ｄは、抽出方法にしたがって統合申請データを抽出し、単一の申請データを得る。
【００４８】
データ提供部５ｅは、拡張構成管理データに含まれている個々の申請データについての提出先データに基づいて、個々の申請データを提出先システム４Ａ，４Ｂに提供する。
【００４９】
データ提供部５ｅは、個々の申請Ａ，Ｂについての申請順序を示す順序データが拡張構成管理データに含まれている場合、個々の申請データをこの申請順序にしたがって提出先システム４Ａ，４Ｂに提供する。
【００５０】
データ提供部５ｅは、ある申請Ｂについて添付データを指定する添付指定データが拡張構成管理データに含まれている場合、この申請Ｂの申請データと添付指定データの示す添付データとを、提出先システムに提供する。
【００５１】
ここで、例えばデータ提供部５ｅは、先の申請Ａで提出先システム４Ａに申請データを提供し、この結果として提出先システム４Ａから公文書データなどの結果データを受け付けたとする。この場合、データ提供部５ｅは、結果データをブラウザ２ａに提供し、また次の申請Ｂにおいて申請データとともに結果データを添付データとしてデータ提供部５ｅに提供してもよい。
【００５２】
なお、データ受付部５ｃ、抽出部５ｄ、データ提供部５ｅ間での各種データの受け渡しは、記録装置５ｆを経由して行われてもよい。すなわち、データの提供側は、提供するデータを記録装置５ｆに記録し、データの受付側は、記録装置５ｆからデータを読み出してもよい。
【００５３】
図２は、統合申請データと拡張構成管理データと添付データとアドレスデータ９の関係の一例を示すブロック図である。
【００５４】
統合申請データ１０は、単体の申請データ１１ａ，１１ｂを含む。
【００５５】
添付データ１２は、ここでは、申請データ１１ｂとともに提出されるデータとする。
【００５６】
拡張構成管理データ１３は、各申請データ１１ａ，１１ｂの構成管理情報１４ａ，１４ｂ、抽出データ１５、電子署名情報１６を含む。
【００５７】
構成管理情報１４ａ，１４ｂは、各申請データ１１ａ，１１ｂについて、その申請データ１１ａ，１１ｂがどのような構成であるかを示すデータである。
【００５８】
構成管理情報１４ａは、各申請データ１１ａについて、提出先システム４Ａを指定する提出先データ１７ａ、申請Ａの名称、申請データ１１ａを指定するデータを具備し、申請データ１１ａとともに添付データを提供することはないので添付データを指定する添付指定データは具備していない。
【００５９】
構成管理情報１４ｂは、各申請データ１１ｂについて、提出先システム４Ｂを指定する提出先データ１７ｂ、申請Ｂの名称、申請データ１１ｂを指定するデータを具備し、申請データ１１ｂとともに提供される添付データ１２を指定する添付指定データを具備する。
【００６０】
抽出データ１５は、統合申請データ１０から単一の申請データ１１ａ，１１ｂを求めるためのデータである。本実施の形態では、抽出データ１５は、申請毎に、提供される申請データを指定する指定データとその申請データに添付データが必要な場合にその添付データを指定する添付指定データを含む。
【００６１】
また、抽出データ１５は、申請データ１１ａ，１１ｂの申請順序を示す順序データを含む。
【００６２】
電子署名情報１６は、この拡張構成管理データ１３が正当か否か検証に用いられる。
【００６３】
アドレスデータ９は、各種の申請を受け付ける提出先システムのＩＤと実際のアドレス（ここでは提出先ＵＲＬ）とを関係付けたデータである。
【００６４】
申請受付システム５は、拡張構成管理データ１３の抽出データ１５に基づいて、第１の申請Ａに関する申請データ１１ａと構成管理情報１４ａを一式とし、アドレスデータ９に基づいて構成管理情報１４ａの提出先データ１７ａを実際のアドレスに変換し、提出先データ１７ａの示す提出先システム４Ａに提供する。
【００６５】
また、申請受付システム５は、拡張構成管理データ１３の抽出データ１５に基づいて、第２の申請Ｂに関する申請データ１１ｂ、構成管理情報１４ｂ、添付データ１２を一式とし、アドレスデータ９に基づいて構成管理情報１４ｂの提出先データ１７ｂを実際のアドレスに変換し、提出先データ１７ｂの示す提出先システム４Ｂに提供する。
【００６６】
なお、本実施の形態においては、各構成管理情報１４ａ，１４ｂに各申請データ１１ａ，１１ｂの提出先データ１７ａ，１７ｂが含まれているが、提出先データ１７ａ，１７ｂは独立させてもよく、また他のデータに含まれるとしてもよい。例えば、提出先データ１７ａ，１７ｂは、統合申請データ１０に含まれるとしてもよい。
【００６７】
図３は、ブラウザ２ａに表示される画面とブラウザ２ａの実行する処理の遷移状態の一例を示す図である。
【００６８】
ブラウザ２ａは、まず申請リスト画面１８を表示する。本実施の形態では、申請リスト画面１８には、複数の申請Ａ，Ｂの組み合わせが表示されるとする。例えば、申請リスト画面１８には、戸籍抄本と印鑑証明書の一括申請、転出・転入の一括申請などが表示される。
【００６９】
ブラウザ２ａは、申請リスト画面１８上で申請者１によって選択された一括申請に対応する申請様式プログラム７をダウンロードし、申請データ作成画面１９を表示する。
【００７０】
申請者１は、申請データ作成画面１９の申請様式にしたがって申請内容を記入し、必要に応じて添付データを指定し、必要に応じて電子署名を行う。
【００７１】
すると、申請様式プログラム７は、記入内容にしたがって複数の申請データ１１ａ，１１ｂを含む統合申請データ１０を作成する。
【００７２】
続けて、申請様式プログラム７は、この統合申請データ１０に対応する拡張構成管理データ１３を作成し、申請者１が電子署名を求めた場合に電子署名情報１６を付する。例えば、申請様式プログラム７は、所定の形式、規則にしたがって、作成された統合申請データ１０における申請データ１１ａ，１１ｂの位置などを記述し、拡張構成管理データ１３を自動作成する。
【００７３】
なお、申請様式プログラム７は、複数の申請において重複したデータの入力が必要な場合でも、一度の入力でよいように作成されている。これにより、氏名、住所、年齢など、入力回数が多く、複数の申請間で共用できる事項について、入力労力が軽減される。
【００７４】
ブラウザ２ａは、申請データ送信画面２０を表示する。申請者１によって申請データ送信画面２０で送信が指示されると、ブラウザ２ａは、統合申請データ１０、拡張構成管理データ１３、必要とされる添付データを申請受付システム５に送信する。
【００７５】
図４は、ブラウザ２ａと申請受付システム５の動作の一例を示すフローチャートである。
【００７６】
ステップＳ１において、申請受付システム５の記録装置５ｆに、申請様式プログラム７が記録される。
【００７７】
申請様式プログラム７は、提出先システム４Ａに対する申請様式（例えば入力項目など）と、提出先システム４Ｂに対する申請様式とを組み合わせた統合申請様式（ワンストップ申請様式）を考慮して作成される。
【００７８】
ステップＳ２において、ブラウザ２ａは、申請者１の操作にしたがってサービス開始要求を申請受付システム５に提供する。
【００７９】
ステップＳ３において、申請受付システム５の要求受付部５ａは、サービス開始要求を受け付ける。
【００８０】
ステップＳ４において、申請受付システム５の要求受付部５ａは、サービス開始要求に応じて申請リスト画面データ８１をブラウザ２ａに提供する。
【００８１】
ステップＳ５において、ブラウザ２ａは、申請リスト画面データ８１を受け付け、申請リスト画面１８を表示する。
【００８２】
ステップＳ６において、ブラウザ２ａは、申請リスト画面１８に基づいて申請者１によって選択された複数の申請Ａ，Ｂについての申請要求を、申請受付システム５に提供する。
【００８３】
ステップＳ７において、申請受付システム５の要求受付部５ａは、ブラウザ２ａから申請要求を受け付ける。
【００８４】
ステップＳ８において、要求受付部５ａは、申請要求に応じた申請様式プログラム７を記録装置５ｆから読み出し、読み出した申請様式プログラム７をブラウザ２ａにダウンロードする。
【００８５】
ステップＳ９において、ブラウザ２ａは、申請様式プログラム７を起動する。
【００８６】
ステップＳ１０において、申請様式プログラム７は、申請者１から入力される内容にしたがって、統合申請データ１０と拡張構成管理データ１３とを作成し、ブラウザ２ａは、統合申請データ１０と拡張構成管理データ１３とを申請受付システム５に提供し、必要であれば添付データを提供する。
【００８７】
例えば、申請様式プログラム７は、第１の申請の入力項目と第２の申請の入力項目について申請者１に入力を促し、申請者１の入力した事項を申請データ１１ａ、申請データ１１ｂに分けて統合申請データ１０に記述する。
【００８８】
そして、申請様式プログラム７は、この統合申請データ１０における申請データ１１ａの位置を、申請データ１１ａの指定データとして拡張構成管理データ１３の抽出データ１５に記述し、統合申請データ１０における申請データ１１ｂの位置を、申請データ１１ｂの指定データとして拡張構成管理データ１３の抽出データ１５に記述する。
【００８９】
ステップＳ１１において、申請受付システム５のデータ受付部５ｃは、ブラウザ２ａから統合申請データ１０と拡張構成管理データ１３と必要であれば添付データを受け付ける。
【００９０】
ステップＳ１２において、データ受付部５ｃは、電子署名情報１６に基づいて拡張構成管理データ１３が正当か否か判断する。正当でない場合には処理が終了される。
【００９１】
正当な場合、ステップＳ１３において、抽出部５ｄは、抽出データ１５の指定データにしたがって、統合申請データ１０から申請データ１１ａ，１１ｂを求める。
【００９２】
ステップＳ１３において、データ提供部５ｅは、抽出データ１５に含まれている順序データの示す申請順序にしたがって、申請データ１１ａ、構成管理情報１４ａを提出先データ１７ａの示す提出先システム４Ａに提供し、申請データ１１ｂ、添付データ１２、構成管理情報１４ｂを提出先データ１７ｂの示す提出先システム４Ｂに提供する。
【００９３】
図５は、申請様式プログラム７の作成・記録状態の一例を示すブロック図である。
【００９４】
第１の申請様式２１ａと第２の申請様式２１ｂが統合され、ワンストップ申請用の統合申請様式２２が作成される。また、第１の申請Ａと第２の申請Ｂの申請順序、統合されたデータの抽出方法（本実施の形態では抽出データに申請データを指定する指定データを含める）が定められる。
【００９５】
なお、統合申請データが単一の申請データのみから構成される場合には、所定の分離方法にしたがって統合申請データを単一の申請データに分離するとしてもよい。
【００９６】
そして、この統合申請様式、申請順序、抽出方法にしたがって統合申請データ１０と拡張構成管理データ１３とを作成する申請様式プログラム７が作成される。作成された申請様式プログラム７は、記録装置５ｆに記録される。本実施の形態では、統合申請データ１０の抽出方法の例として、拡張構成管理データ１３の抽出データ１５に含まれている指定データを用いて抽出するとしている。
【００９７】
図６は、申請様式プログラム７のダウンロード状態の一例を示すブロック図である。
【００９８】
申請者１によって申請Ａ，Ｂが要求された場合、申請受付システム５は、申請様式プログラム７を端末２のブラウザ２ａにダウンロードする。申請様式プログラム７は、統合申請様式に加えて、抽出方法、申請順序も考慮して作成されている。したがって、ブラウザ２ａは、申請様式プログラム７を取得することにより、統合申請様式、抽出方法、申請順序の定義を取得したと同様である。
【００９９】
図７は、統合申請データ１０と拡張構成管理データ１３との作成状態の一例を示すブロック図である。
【０１００】
端末２のブラウザ２ａは、申請様式プログラム７を起動する。
【０１０１】
申請者１は、申請様式プログラム７に促され、統合申請様式２２にしたがった内容（名前、住所、添付データの参照先など）を入力する。
【０１０２】
申請様式プログラム７は、入力内容に基づいて、統合申請データ１０と拡張構成管理データ１３を作成する。
【０１０３】
申請様式プログラム７は、統合申請データ１０の申請データ１１ａ，１１ｂを指定する指定データ、申請順序を示す順序データ、必要とされる添付データを指定する添付指定データを拡張構成管理データ１３の抽出データ１５として記述し、拡張構成管理データ１３に電子署名情報１６を記述する。
【０１０４】
図８は、作成された統合申請データ１０と拡張構成管理データ１３を端末２から申請受付システム５に提供する状態の一例を示すブロック図である。
【０１０５】
図９は、受け付けられた統合申請データ１０と拡張構成管理データ１３の検証状態の一例を示すブロック図である。
【０１０６】
申請受付システム５は、統合申請データ１０と拡張構成管理データ１３の一式の正当性を、拡張構成管理データ１３に含まれている申請者１の電子署名と公開鍵証明書とを含む電子署名情報１６を用いて検証する。
【０１０７】
図１０は、統合申請データ１０から単一の申請データ１１ａ，１１ｂを抽出した状態の一例を示すブロック図である。
【０１０８】
申請受付システム５は、拡張構成管理データ１３の抽出データ１５に基づいて統合申請データ１０から単体の申請データ１１ａ，１１ｂを求める。
【０１０９】
図１１は、申請受付システム５から提出先システム４Ａ，４Ｂへの申請データ１１ａ，１１ｂの提供状態の一例を示すブロック図である。
【０１１０】
申請受付システム５は、拡張構成管理データ１３に記述されている順序データ及び提出先データ１７ａ，１７ｂにしたがって単一の申請データ１１ａ，１１ｂを提出先システム４Ａ，４Ｂに提供する。
【０１１１】
なお、各申請データ１１ａ，１１ｂに対応する構成管理情報１４ａ，１４ｂも提出先システム４Ａ，４Ｂに提供される。
【０１１２】
例えば、申請データ１１ａを提出先システム４Ａに提供した結果得られる公文書データが、次の申請データ１１ｂの提出時に必要な場合がある。この場合、申請受付システム５は、申請データ１１ａを提出先システム４Ａに提出後、公文書データを提出先システム４Ａから受け付け、この公文書データを添付データ１２として申請データ１１ｂとともに提出先システム４Ｂに提供する。
【０１１３】
図１２は、拡張構成管理データ１３の定義の一例を示す図である。
【０１１４】
さらに図１３は、拡張構成管理データ１３の具体的な例を示す図である。
【０１１５】
拡張構成管理データ１３では、申請Ａ，Ｂ毎に、この申請Ａ，Ｂに関する申請データ１１ａ，１１ｂを指定する指定データ、この申請データ１１ａ，１１ｂに関する構成管理情報１４ａ，１４ｂを指定するデータ、添付データが必要な場合の添付データを指定する添付指定データが、抽出データ１５として記述される。
【０１１６】
各申請Ａ，Ｂを区別するためのタグには、申請ＩＤと申請の順序データとが記述される。
【０１１７】
また、拡張構成管理データ１３には、各申請Ａ，Ｂについての構成管理情報１４ａ，１４ｂも記述される。
【０１１８】
さらに、拡張構成管理データ１３には、電子署名情報１６が記述される。
【０１１９】
図１４は、構成管理情報１４ａ，１４ｂの定義の一例を示す図である。
【０１２０】
さらに図１５は、構成管理情報１４ｂの具体的な例を示す図である。
【０１２１】
構成管理情報１４ｂは、例えば、申請データ１１ｂの提出先システム４Ｂを示す提出先データ１７ｂを記述する。
【０１２２】
申請受付システム５は、この提出先データ１７ｂとアドレスデータ９に基づいて、申請データ１１ｂの提出先システム４Ｂを決定する。
【０１２３】
以上説明した本実施の形態に係る申請受付システム５により、申請者１は、一度の作業で複数の申請を行うことができる。
【０１２４】
また、申請受付システム５によって、統合申請データから単一の申請データが抽出されるため、窓口側のシステムには既存の提出先システムをそのまま使用できる。
【０１２５】
申請者１は、申請順序を意識することなく一度の作業で複数の提出先システムに対して申請手続を行うことができ、利便性が向上し、労力が軽減する。また、申請者は、複数の申請の間で必要項目が重複している場合に、重複した入力を省略できる。
【０１２６】
なお、本実施の形態において、申請受付システム５の各構成要素は、プログラムにより実現される部分がハードウェアによって実現されるとしてもよい。
【０１２７】
また、本実施の形態に係る申請受付システム５に具備される各構成要素は、同様の動作を実現可能であれば配置を変更させてもよく、また各構成要素を自由に組み合わせてもよく、各構成要素を自由に分割してもよい。例えば、要求受付部５ａとデータ受付部５ｃとを統合し、単一の部分としてもよい。
【０１２８】
また、本実施の形態に係る申請受付システム５は複数の計算機により構成され、申請受付プログラム６ａは複数の計算機に分散して配置され、互いに連携を取りつつ処理を実行するとしてもよい。
【０１２９】
【発明の効果】
以上詳記したように本発明においては、窓口として動作する既存の提出先システムをそのまま活用しつつ、複数の申請を行う申請者の申請作業の効率化を図ることができる。
【図面の簡単な説明】
【図１】本発明の実施の形態に係る申請受付システムの構成の一例を示すブロック図。
【図２】統合申請データと拡張構成管理データと添付データとアドレスデータの関係の一例を示すブロック図。
【図３】ブラウザに表示される画面とブラウザの実行する処理の遷移状態の一例を示す図。
【図４】ブラウザと申請受付システムの動作の一例を示すフローチャート。
【図５】申請様式プログラムの作成・記録状態の一例を示すブロック図。
【図６】申請様式プログラムのダウンロード状態の一例を示すブロック図。
【図７】統合申請データと拡張構成管理データとの作成状態の一例を示すブロック図。
【図８】作成された統合申請データと拡張構成管理データを端末から申請受付システムに提供する状態の一例を示すブロック図。
【図９】統合申請データと拡張構成管理データの検証状態の一例を示すブロック図。
【図１０】統合申請データから単一の申請データを抽出した状態の一例を示すブロック図。
【図１１】申請受付システムから提出先システムへの申請データの提供状態の一例を示すブロック図。
【図１２】拡張構成管理データの定義の一例を示す図。
【図１３】拡張構成管理データの具体的な例を示す図。
【図１４】構成管理情報の定義の一例を示す図。
【図１５】構成管理情報の具体的な例を示す図。
【図１６】従来の電子申請システムを示すブロック図。
【符号の説明】
１…申請者、２…端末、２ａ…ブラウザ、３…ネットワーク、４Ａ，４Ｂ…提出先システム、５…申請受付システム、５ａ…要求受付部、５ｂ…プログラム提供部、５ｃ…データ受付部、５ｄ…抽出部、５ｅ…データ提供部、５ｆ…記録装置、６…記録媒体、６ａ…申請受付プログラム、７…申請様式プログラム、９…アドレスデータ、１０…統合申請データ、１１ａ，１１ｂ…申請データ、１２…添付データ、１３…拡張構成管理データ、１４ａ，１４ｂ…構成管理情報、１５…抽出データ、１６…電子署名情報、１７ａ，１７ｂ…提出先データ
【図１】
2004265137.tif 000003
【図２】
2004265137.tif 000004
【図３】
2004265137.tif 000005
【図４】
2004265137.tif 000006
【図５】
2004265137.tif 000007
【図６】
2004265137.tif 000008
【図７】
2004265137.tif 000009
【図８】
2004265137.tif 000010
【図９】
2004265137.tif 000011
【図１０】
2004265137.tif 000012
【図１１】
2004265137.tif 000013
【図１２】
2004265137.tif 000014
【図１３】
2004265137.tif 000015
【図１４】
2004265137.tif 000016
【図１５】
2004265137.tif 000017
【図１６】
2004265137.tif 000018